(57)【要約】【課題】車室内のリア席側の乗員がヘッドホンを使用しているか否かに応じてスピーカーから出力される音により形成される音場を自動的に切替える「オーディオ・ビジュアルシステム」を提供する。【解決手段】リア席の乗員がリア用操作ユニット３０にヘッドホン７を接続すると、リア用操作ユニット３０からフロント用操作ユニット１０にヘッドホンの使用を通知する信号が出力される。この信号により、フロント用操作ユニット１０からアンプユニット５０へフロント席優先の音場に切替えることを指示する信号が出力される。この信号により、アンプユニット５０では内蔵された音場処理部で音場処理するときに使用する音場パターンを切替えて、音場処理を行う。【選択図】図１
2005341426.tif 000002
【特許請求の範囲】
【請求項１】
少なくともオーディオ信号を出力するＡＶ機器と、
第１の空間に配置されて操作に応じた信号を前記ＡＶ機器に送って前記ＡＶ機器を制御する第１の操作ユニットと、
ヘッドホン接続部を有し、第２の空間に配置されて操作に応じた信号を前記ＡＶ機器に送って前記ＡＶ機器を制御する第２の操作ユニットと、
前記ＡＶ機器から出力されるオーディオ信号を入力し、音場パターンに応じた信号処理を施して、スピーカーから出力される音により形成される音場を前記音場パターンに応じた音場とする音場制御装置とを有し、
前記第１及び第２の操作ユニットのいずれか一方は、前記第２の空間でのヘッドホンの使用を検知すると前記音場制御装置で使用する音場パターンの変更を指示して、特定の音場を形成させることを特徴とするオーディオ・ビジュアルシステム。
【請求項２】
前記特定の音場は、前記第１の空間に対し最適化した音場であることを特徴とする請求項１に記載のオーディオ・ビジュアルシステム。
【請求項３】
前記音場制御装置は、前記第２の操作ユニットの前記ヘッドホン接続部にヘッドホンが接続されたときに前記第２の操作ユニットから出力される信号に基づいて、前記特定の音場を形成する信号処理を行うことを特徴とする請求項１又は２に記載のオーディオ・ビジュアルシステム。
【請求項４】
前記ＡＶ機器、前記第１の操作ユニット、前記第２の操作ユニット及び前記音場制御装置は、共通のバスラインに接続されていることを特徴とする請求項１乃至３のいずれか１項に記載のオーディオ・ビジュアルシステム。
【請求項５】
前記第１の空間は車室内のフロント席側の空間であり、前記第２の空間は前記車室内のリア席側の空間であることを特徴とする請求項１乃至４のいずれか１項に記載のオーディオ・ビジュアルシステム。
【発明の詳細な説明】
【技術分野】
【０００１】
本発明は、スピーカーから出力される音により形成される音場を制御する音場制御装置を有するオーディオ・ビジュアルシステムに関し、例えば車両に搭載されてフロント席側とリア席側とで異なる音楽や映像を視聴可能なオーディオ・ビジュアルシステムに関する。
【背景技術】
【０００２】
近年、車両には、ＦＭ／ＡＭラジオ受信機、ＣＤプレーヤ、ＤＶＤプレーヤ及びＴＶ（テレビ）受信機等のＡＶ（オーディオ・ビジュアル）機器を一つの操作部で操作できるようにしたＡＶシステムが搭載されるようになった。この種の車載用ＡＶシステムでは、車室内に配置された複数のスピーカーから出力される音により形成される音場を制御する音場制御装置が設けられているものもある。音場制御装置には予めいくつかの音場パターンが登録されており、指定された音場パターンに応じた信号処理を行う。音場パターンを切替えることにより、音の定位、音質及び立体感などが変化する。車載用ＡＶシステムに組み込まれる音場制御装置には、例えばフロント席で聴いたときに最もよい音質となるような音場パターンや、フロント席及びリア席で同じように聴こえるような音場パターンなどが用意されている。ユーザは、乗員がフロント席にしかいないときや、リア席にも乗員がいるときなど、状況に応じて音場パターンを切替えている。
【０００３】
特開平１１−２３１８７８号公報（特許文献１）には、音響出力装置（内蔵スピーカ、外部スピーカー及びヘッドホン）の種類に応じて利用可能な音場パターン群（音場処理の方法）を切替える音場処理装置が開示されている。
【０００４】
また、近年、フロント席側とリア席側とで異なる音楽や映像を楽しむことができる車載用ＡＶシステム（リアエンターティメントシステム）も開発され、実用化されている。このような車載用ＡＶシステムでは、フロント席側及びリア席側にそれぞれ操作ユニットと表示ユニットとが設けられており、リア席側の乗員はヘッドホンを使用してフロント席側とは異なる音楽や映像を視聴することができる。この種の車載用ＡＶシステムにも音場制御装置が組み込まれている。通常、フロント席側及びリア席側の乗員が同じ音楽や映像を視聴するときには、フロント席及びリア席で同じように聴こえる音場パターンを使用し、リア席側の乗員がヘッドホンを使用してフロント席側と異なる音楽や映像を視聴するときには、フロント席で聴いたときの音質を重視した音場パターンを使用する。
【特許文献１】特開平１１−２３１８７８号公報
【発明の開示】
【発明が解決しようとする課題】
【０００５】
しかしながら、本願発明者等は、上述した従来の車載用ＡＶシステムには以下に示す問題点があると考える。すなわち、従来の車載用ＡＶシステムでは、リア席側の乗員がヘッドホンを使用しているか否かによって音場パターンを手動で切替えている。
【０００６】
例えば、ラジオ受信機で受信した放送がスピーカーから車室内に出力され、フロント席の乗員とリア席の乗員とが同じ放送を聴いているときは、フロント席側及びリア席側で同じように聴こえる音場パターンを選択する。この状態で、リア席の乗員がＣＤプレーヤで再生される音楽をヘッドホンを使用して聴く場合、音場パターンがそのままだと、ヘッドホンをしていてもスピーカーから出力される音が邪魔になることがある。また、リア席ではラジオ放送を聴かないので、フロント席側に最適化した音場パターンに切替えたほうが、フロント席の乗員はより良好な音質で音楽等を聴くことができる。従って、前述したように、フロント席側の乗員は、リア席側の乗員がヘッドホンを使用しているか否かに応じて音場制御装置を操作して音場パターンを切替えており、煩雑である。
【０００７】
以上から、本発明の目的は、リア席側の乗員がヘッドホンを使用しているか否かに応じてスピーカーから出力される音により形成される音場を自動的に切替えるオーディオ・ビジュアルシステムを提供することである。
【課題を解決するための手段】
【０００８】
上記した課題は、少なくともオーディオ信号を出力するＡＶ機器と、第１の空間に配置されて操作に応じた信号を前記ＡＶ機器に送って前記ＡＶ機器を制御する第１の操作ユニットと、ヘッドホン接続部を有し、第２の空間に配置されて操作に応じた信号を前記ＡＶ機器に送って前記ＡＶ機器を制御する第２の操作ユニットと、前記ＡＶ機器から出力されるオーディオ信号を入力し、音場パターンに応じた信号処理を施して、スピーカーから出力される音により形成される音場を前記音場パターンに応じた音場とする音場制御装置とを有し、前記第１及び第２の操作ユニットのいずれか一方は、前記第２の空間でのヘッドホンの使用を検知すると前記音場制御装置で使用する音場パターンの変更を指示して、特定の音場を形成させることを特徴とするオーディオ・ビジュアルシステムにより解決する。
【０００９】
前記特定の音場とは、例えば前記第１の空間に対し最適化した音場である。また、前記音場制御装置は、例えば前記第２の操作ユニットの前記ヘッドホン接続部にヘッドホンが接続されたときに前記第２の操作ユニットから出力される信号に基づいて、前記特定の音場を形成する信号処理を行う。
【００１０】
前記ＡＶ機器、前記第１の操作ユニット、前記第２の操作ユニット及び前記音場制御装置は、例えば共通のバスラインに接続される。前記第１の操作ユニットは例えば車室内のフロント席側に配置され、前記第２の操作ユニットは例えば前記車室内のリア席側に配置される。
【００１１】
本発明においては、例えば第２の空間（例えば車両のリア席側）にいるユーザが第２の操作ユニットのヘッドホン接続部にヘッドホンを接続すると、第２の操作ユニットからヘッドホンの使用を通知する信号が第１の操作ユニットに送信される。この信号を受信すると、第１の操作ユニットは音場制御装置に音場パターンの変更を指示する信号を送信する。そして、この第１の操作ユニットからの信号により、音場制御装置は、信号処理時に使用する音場パターンを変更して、例えば第１の空間（例えば車両のフロント席側）にいるユーザの位置に最適化した音場となるように信号処理を行う。
【００１２】
これにより、第２の空間にいるユーザはスピーカーから出力される音に邪魔されずに、ヘッドホンから出力される音楽等を聴くことができるとともに、第１の空間にいるユーザはより良好な音質でスピーカーから出力される音楽等を聴くことができる。
【発明を実施するための最良の形態】
【００１３】
以下、本発明の実施形態について、添付の図面を参照して説明する。
【００１４】
図１は、本発明の実施形態に係るＡＶシステム（車載用ＡＶシステム）の構成を示すブロック図である。
【００１５】
本実施形態のＡＶシステムは、車両に搭載されるＣＤプレーヤ２、ＤＶＤプレーヤ３、ＦＭ／ＡＭラジオ受信機４及びＴＶ受信機５等のＡＶ機器と、フロント席側（第１の空間）に配置されるフロント用操作ユニット（第１の操作ユニット）１０及びフロント用表示ユニット２０と、リア席側（第２の空間）に配置されるリア用操作ユニット（第２の操作ユニット）３０及びリア用表示ユニット４０と、アンプユニット（音場制御装置）５０とにより構成されている。
【００１６】
これらのＣＤプレーヤ２、ＤＶＤプレーヤ３、ＦＭ／ＡＭラジオ受信機４、ＴＶ受信機５、フロント用操作ユニット１０、フロント用表示ユニット２０、リア用操作ユニット３０、リア用表示ユニット４０及びアンプユニット５０は、いずれもバスライン６に接続されている。このバスライン６は、デジタルの制御信号が伝送される制御信号伝送路と、アナログオーディオ信号が伝送されるアナログオーディオ信号伝送路と、デジタルオーディオ信号が伝送されるデジタルオーディオ信号伝送路と、映像信号が伝送される映像信号伝送路とにより構成される。制御信号伝送路は各機器（各ユニットを含む）に共通に接続され、更にアナログオーディオ信号を入出力する機器はアナログオーディオ信号伝送路に接続され、デジタルオーディオ信号を入出力する機器はデジタルオーディオ信号伝送路に接続され、映像信号を入出力する機器は映像信号伝送路に接続される。
【００１７】
フロント用操作ユニット１０及びリア用操作ユニット３０は、バスライン６を介してＣＤプレーヤ２、ＤＶＤプレーヤ３、ＦＭ／ＡＭラジオ受信機４、ＴＶ受信機５及びアンプユニット５０に制御信号を送信することにより、これらの機器の動作を制御することができる。また、ＣＤプレーヤ２、ＤＶＤプレーヤ３、ＦＭ／ＡＭラジオ受信機４及びＴＶ受信機５から出力されるアナログ又はデジタルのオーディオ信号は、バスライン６を介してリア用操作ユニット３０及びアンプユニット５０に伝達される。更に、ＤＶＤプレーヤ３及びＴＶ受信機５等の映像機器から出力される映像信号は、バスライン６を介してフロント用表示ユニット２０及びリア用表示ユニット４０に伝達される。
【００１８】
フロント用操作ユニット１０及びフロント用表示ユニット２０は、車室内のフロント席側の所定の位置（例えばダッシュパネル）に配置される。また、リア用操作ユニット３０及びリア用表示ユニット４０は、リア席側の所定の位置（例えばフロントシートの背面）に配置される。
【００１９】
リア用操作ユニット３０には、ヘッドホン７を接続するためのヘッドホンジャックが設けられている。アンプユニット５０は、ＣＤプレーヤ２、ＤＶＤプレーヤ３、ＦＭ／ＡＭラジオ受信機４及びＴＶ受信機５等のＡＶ機器からバスライン６を介してオーディオ信号を入力し、信号増幅を行って、例えばフロント席側の左右のドアにそれぞれ取り付けられた２台のフロントスピーカー８ａと、リア席側の左右にそれぞれ取り付けられた２台のリアスピーカー８ｂとを駆動する。また、後述するように、アンプユニット５０は音場処理部を内蔵しており、スピーカー８ａ，８ｂから出力される音により形成される音場を変化させることができる。
【００２０】
図２は、フロント用操作ユニット１０の構成を示すブロック図である。この図２に示すようにフロント用操作ユニット１０は、制御部１１と操作部１２とにより構成されている。操作部１２には、ＣＤプレーヤ２、ＤＶＤプレーヤ３、ラジオ受信機４、ＴＶ受信機５、フロント用表示ユニット２０及びアンプユニット５０を操作するときに使用する操作ボタンが設けられている。制御部１１は、バスライン６を介して他の機器から動作状況を示す信号を受信し、操作部１２から出力された信号や他の機器の動作状況に応じてバスライン６に所定の信号を出力する。
【００２１】
図３は、リア用操作ユニット３０の構成を示すブロック図である。この図３に示すように、リア用操作ユニット３０は、制御部３１、操作部３２、アンプ３３及びヘッドホン接続部３４により構成されている。操作部３２には、ＣＤプレーヤ２、ＤＶＤプレーヤ３、ラジオ受信機４、ＴＶ受信機５、リア用表示ユニット４０及びアンプユニット５０を操作するときに使用する操作ボタンが設けられている。制御部３１は、バスライン６を介して他の機器から動作状況を示す信号を受信し、操作部３２から出力された信号や他の機器の動作状況に応じてバスライン６に所定の信号を出力する。アンプ３３は、バスライン６を介して入力されたオーディオ信号を信号処理し、制御部３１からの信号に応じた増幅率でオーディオ信号を増幅して出力する。ヘッドホン接続部３４にはヘッドホン７を接続するためのヘッドホンジャックが設けられており、ヘッドホンジャックにヘッドホン７のプラグが接続されると、ヘッドホン接続部３４から制御部３１にヘッドホン７の接続を示す信号が出力される。
【００２２】
図４は、アンプユニット５０の構成を示すブロック図である。この図４に示すように、アンプユニット５０は、制御部５１、アナログオーディオ信号入力部５２ａ、デジタルオーディオ信号入力部５２ｂ、音場処理部５３及び出力部５４により構成されている。アナログオーディオ信号入力部５２ａは、バスライン６から入力されたアナログオーディオ信号をＡ／Ｄ（アナログ／デジタル）変換してデジタルオーディオ信号とし、音場処理部５３に出力する。デジタルオーディオ信号入力部５２ｂは、バスライン６から入力されたデジタルオーディオ信号を復調処理して音場処理部５３に出力する。
【００２３】
音場処理部５３には予め複数の音場パターンが登録されており、制御部５１からの信号により指定される音場パターンを使用して、入力されたデジタルオーディオ信号に対し音場処理を施す。すなわち、音場パターン毎に信号処理（音場処理）時に使用する複数のパラメータの値がそれぞれ設定されており、音場処理部５３はこれらのパラメータの値を使用して信号処理を実行する。
【００２４】
出力部５４は、音場処理部５３から出力されたデジタルオーディオ信号をアナログオーディオ信号に変換した後、制御部５１からの信号に応じた増幅率で増幅を行って、フロントスピーカー８ａ及びリアスピーカ８ｂにそれぞれオーディオ信号を供給し、これらのスピーカー８ａ，８ｂを駆動して車室内に音を出力し音場を形成する。
【００２５】
図５は、本実施形態のＡＶシステムにおいて、リア席のユーザがヘッドホンを使用するときの動作を示すフローチャートである。
【００２６】
まず、ステップＳ１１において、フロント席側の乗員及びリア席側の乗員がいずれもラジオ受信機４で受信した放送（又はその他の音源から出力される音楽等）を聴いているものとする。また、フロント席側の乗員又はリア席側の乗員は、フロント用操作ユニット１０又はリア用操作ユニット３０によりアンプユニット５０を制御して、フロント席側とリア席側とで音楽等が同じ音質で聴くことができる音場パターンを選択しているものとする。
【００２７】
図６（ａ）は、このときの車載内に形成される音場を示す模式図である。このように、フロント席側及びリア席側の乗員が同じ音楽等を聴いているときには、選択された音場パターンに基づいてフロント席側の乗員及びリア席側の乗員が同じ音質で音楽等を聴くことができる音場が形成される。
【００２８】
次に、ステップＳ１２において、リア用操作ユニット３０の制御部３１によりヘッドホンジャックにヘッドホン７のプラグが差し込まれたか否かが監視される。そして、リア用操作ユニット３０にヘッドホン７のプラグが差し込まれると、ステップＳ１３に移行してリア用操作ユニット３０からバスライン６を介してフロント用操作ユニット１０にヘッドホンの使用を通知する信号が出力される。
【００２９】
次いで、ステップＳ１４において、フロント用操作ユニット１０の制御部１１は、リア用操作ユニット３０からヘッドホンの使用を通知する信号を入力すると、バスライン６を介してアンプユニット５０に、音場パターンをフロント席を優先するパターンに変更することを指示する信号を出力する。これにより、アンプユニット５０の制御部５１は、音場処理部５３に音場パターンをフロント席を優先するパターンに変更することを指示する信号を出力する。音場処理部５３は、フロント席を優先する音場パターンに基づいて信号処理時のパラメータの値を変更し、入力されたオーディオ信号を信号処理（音場処理）する。音場処理部５３から出力されたオーディオ信号は、出力部５４で増幅された後スピーカー８ａ，８ｂに供給され、車室内にフロント席を優先する音場を形成する。
【００３０】
図６（ｂ）は、このときの車室内に形成される音場を示す模式図である。この図６（ｂ）に示すように、スピーカー８ａ，８ｂにより形成される音場はフロント席側を重視したものとなる。すなわち、スピーカー８ａ，８ｂから出力される音がフロント席用に最適化され、リア席側の乗員に聴こえにくくなる。
【００３１】
以上説明したように、本実施形態においては、リア席の乗員がリア用操作ユニット３０のヘッドホンジャックにヘッドホン７のプラグを差し込むだけで、スピーカー８ａ，８ｂの出力により形成される音場をフロント席優先の音場に自動的に変更する。これにより、リア席側の乗員は好みの音楽等をヘッドホンで聴くときにスピーカー８ａ，８ｂから出力される音に邪魔されることが少なくなるとともに、フロント席側の乗員はより良好な音質で音楽等を楽しむことができる。本実施形態においては、リア席の乗員がヘッドホン７を使用するか否かにより音場を手動で切替える必要がなくなり、従来に比して使い勝手が向上するという効果を奏する。
【００３２】
なお、上記実施形態においては、リア用操作ユニット３０のヘッドホン接続部３４にヘッドホン７のプラグが接続されたときにフロント席側を優先する音場に切替える場合について説明したが、本発明はこれに限定されるものではない。例えば、リア用操作ユニット３０においてフロント席側と異なるＡＶ機器の使用が選択されたときに音場パターンを自動的に切替えるようにしてもよい。また、通常のヘッドホンに替えてワイヤレスヘッドホンを使用する場合は、リア用操作ユニット３０でワイヤレスヘッドホンからの接続要求信号を受信したときに、音場パターンを自動的に切替えるようにしてもよい。
【００３３】
更に、上記実施形態ではフロント用操作ユニット２０からアンプユニット５０へ音場パターンの切替を指示する信号が出力されるものとしたが、リア用操作ユニット３０からアンプユニット５０へ直接音場パターンの切替を指示する信号が出力されるようにしてもよい。
【図面の簡単な説明】
【００３４】
【図１】図１は、本発明の実施形態に係るＡＶシステム（車載用ＡＶシステム）の構成を示すブロック図である。
【図２】図２は、フロント用操作ユニットの構成を示すブロック図である。
【図３】図３は、リア用操作ユニットの構成を示すブロック図である。
【図４】図４は、アンプユニットの構成を示すブロック図である。
【図５】図５は、実施形態のＡＶシステムにおいて、リア席のユーザがヘッドホンを使用するときの動作を示すフローチャートである。
【図６】図６（ａ）はフロント席側とリア席側とで音楽等が同じ音質で聴くことができる音場パターンを選択しているときの車室内に形成される音場を示す模式図、図６（ｂ）はフロント席を優先するパターンに切替えたときの車室内に形成される音場を示す模式図である。
【符号の説明】
【００３５】
２…ＣＤプレーヤ、
３…ＤＶＤプレーヤ、
４…ＦＭ／ＡＭラジオ受信機、
５…ＴＶ受信機、
６…バスライン、
７…ヘッドホン、
８ａ，８ｂ…スピーカー、
１０…フロント用操作ユニット、
１１…フロント用操作ユニットの制御部、
１２…フロント用操作ユニットの操作部、
２０…フロント用表示ユニット
３０…リア用操作ユニット、
３１…リア用操作ユニットの制御部、
３２…リア用操作ユニットの操作部、
３３…リア用操作ユニットのアンプ、
３４…リア用操作ユニットのヘッドホン接続部、
４０…リア用表示ユニット、
５０…アンプユニット、
５１…アンプユニットの制御部、
５２ａ…アンプユニットのアナログオーディオ信号入力部、
５２ｂ…アンプユニットのデジタルオーディオ信号入力部、
５３…アンプユニットの音場処理部、
５４…アンプユニットの出力部。
【図１】
2005341426.tif 000003
【図２】
2005341426.tif 000004
【図３】
2005341426.tif 000005
【図４】
2005341426.tif 000006
【図５】
2005341426.tif 000007
【図６】
2005341426.tif 000008